(57)【要約】【課題】ターボチャージャ付内燃機関における制御装置において、タービン入口排気圧が過度に上昇することに起因して内燃機関の掃気効率が過度に悪化することを抑制する。【解決手段】バルブ制御領域Ｉにおいては流量調節バルブ開度ＳＰＡ及びウェストゲートバルブ開度ＷＧＡを「全閉」に維持する。バルブ制御領域ＩＩにおいてはウェストゲートバルブ開度ＷＧＡを全閉に維持し、タービン入口排気圧ＰＥがマニホールド吸気圧ＰＩ以下になるように流量調節バルブ開度ＳＰＡを調節する。バルブ制御領域ＩＩＩにおいては流量調節バルブ開度ＳＰＡを全開に維持し、タービン入口排気圧ＰＥがマニホールド吸気圧ＰＩ以下になるようにウェストゲートバルブ開度ＷＧＡを調節する。【選択図】図４
2008196332.tif 000002
【特許請求の範囲】
【請求項１】
内燃機関の排気通路に設けられるタービン及び該内燃機関の吸気通路に設けられるコンプレッサを有するターボチャージャと、
前記タービンに流入する排気にタービンホイールを迂回させるウェストゲート通路と、
前記ウェストゲート通路を通過する排気の流量を変更可能なウェストゲートバルブと、
前記排気通路の前記タービンよりも上流側における排気圧であるタービン入口排気圧を所定値以下に制御する排気圧制御手段と、
を備え、
前記排気圧制御手段は、前記タービンホイールに流入する排気の流路面積を制御する流路面積制御手段と前記ウェストゲートバルブの開度を制御するウェストゲート開度制御手段とを有し、
前記流路面積制御手段は前記流路面積を増加させることによって前記タービン入口排気圧を低下させ、前記流路面積を最大面積に変更しても前記タービン入口排気圧が前記所定値よりも高くなる場合に、前記ウェストゲート開度制御手段は前記ウェストゲートバルブの開度を増加させることを特徴とするターボチャージャ付内燃機関の制御装置。
【請求項２】
前記タービンのスクロール部は通過する排気を前記タービンホイールに導くスクロール流路を複数有しており且つ少なくとも１のスクロール流路には該スクロール流路を通過する排気の流路面積を変更可能な流路面積制御バルブが備えられており、
前記流路面積制御手段は、前記流路面積制御バルブの開度を変更することによって前記タービンホイールに流入する排気の流路面積を制御することを特徴とする請求項１に記載のターボチャージャ付内燃機関の制御装置。
【請求項３】
前記タービン入口排気圧が前記所定値よりも高いか否か判定する判定手段を更に備え、
前記タービン入口排気圧が前記所定値よりも高いと判定されるときであって且つ前記流路面積制御バルブの開度が全開ではないときに、前記ウェストゲート開度制御手段は前記ウェストゲートバルブの開度を全閉にするとともに前記流路面積制御手段は前記流路面積制御バルブの開度を増加させ、
前記タービン入口排気圧が前記所定値よりも高いと判定されるときであって且つ前記流路面積制御バルブの開度が全開であるときに、前記ウェストゲート開度制御手段は前記ウェストゲートバルブの開度を増加させることを特徴とする請求項２に記載のターボチャージャ付内燃機関の制御装置。
【請求項４】
前記吸気通路に設けられるスロットルバルブと、
前記内燃機関の運転状態に応じて前記スロットルバルブの開度を制御するスロットル開度制御手段と、
前記スロットルバルブの開度に応じて前記タービン入口排気圧が前記所定値以下になるように前記流路面積制御バルブの目標開度と前記ウェストゲートバルブの目標開度とを決定する目標開度決定手段と、
を更に備えることを特徴とする請求項２に記載のターボチャージャ付内燃機関の制御装置。
【請求項５】
前記所定値は前記吸気通路における過給圧であることを特徴とする請求項１から４の何れかに記載のターボチャージャ付内燃機関の制御装置。
【請求項６】
前記内燃機関の運転状態が全負荷であって且つ機関出力を増加させる要求が出される場合に、前記ウェストゲートバルブの開度を減少させるウェストゲートバルブ開度減少手段を、更に備えることを特徴とする請求項１から５の何れかに記載のターボチャージャ付内燃機関の制御装置。
【発明の詳細な説明】
【技術分野】
【０００１】
本発明は、ターボチャージャ付内燃機関の制御装置に関する。
【背景技術】
【０００２】
ターボチャージャ付内燃機関において、内燃機関の機関負荷に応じて過給圧を制御することが要求される。これに対し、タービンホイールに導かれる排気の流量を変更可能な所謂ツインスクロール型のターボチャージャが知られている（例えば、特許文献１を参照。）。
【０００３】
機関負荷の増大に伴ってタービンに流入する排気の流量（以下、単に「タービン流入排気流量」ともいう。）がタービンの容量に比べて多くなると、排気通路におけるタービンよりも上流側の排気圧（以下、単に「タービン入口排気圧」ともいう。）が増加する。そのような状態で吸気の過給を行うと、過給圧よりもタービン入口排気圧が高くなる場合がある。その結果、内燃機関の掃気効率が悪化するため内燃機関の機関効率が悪化する場合があった。また、吸気温度が過度に上昇してコンプレッサに熱劣化が生じる虞があった。
【特許文献１】特開２００３−３２８７６３号公報
【特許文献２】特開昭６１−１６９６２６号公報
【特許文献３】特開昭６１−４３２１９号公報
【特許文献４】特開２００６−３７８１８号公報
【発明の開示】
【発明が解決しようとする課題】
【０００４】
本発明は、上記従来技術に鑑みてなされたものであり、その目的とするところは、ターボチャージャ付内燃機関における制御装置において、タービン入口排気圧が過度に上昇することに起因して内燃機関の掃気効率が過度に悪化することを抑制し、以って機関効率が悪化することを抑制できる技術を提供することである。
【課題を解決するための手段】
【０００５】
上記課題を達成するために本発明におけるターボチャージャ付内燃機関の制御装置は、以下の手段を採用した。即ち、
内燃機関の排気通路に設けられるタービン及び該内燃機関の吸気通路に設けられるコンプレッサを有するターボチャージャと、
前記タービンに流入する排気にタービンホイールを迂回させるウェストゲート通路と、
前記ウェストゲート通路を通過する排気の流量を変更可能なウェストゲートバルブと、
前記排気通路の前記タービンよりも上流側における排気圧であるタービン入口排気圧を所定値以下に制御する排気圧制御手段と、
を備え、
前記排気圧制御手段は、前記タービンホイールに流入する排気の流路面積を制御する流路面積制御手段と前記ウェストゲートバルブの開度を制御するウェストゲート開度制御手段とを有し、
前記流路面積制御手段は前記流路面積を増加させることによって前記タービン入口排気圧を低下させ、前記流路面積を最大面積に変更しても前記タービン入口排気圧が前記所定値よりも高くなる場合に、前記ウェストゲート開度制御手段は前記ウェストゲートバルブの開度を増加させることを特徴とする。
【０００６】
内燃機関から排出される排気の流量が増大して流入排気流量が増大すると、タービン流入排気流量がタービンの容量に対して大きくなる場合がある。そうすると、タービン入口
排気圧が急激に上昇して内燃機関の掃気効率が過度に悪化する虞がある。その結果、燃費が悪化するなど機関効率が悪化する場合があった。
【０００７】
これに対し、本発明における排気圧制御手段は、タービン入口排気圧が所定値以下になるように該タービン入口排気圧を制御する。ここで、「所定値」とは、タービン入口排気圧が過度に上昇してしまい掃気効率が過度に悪化することを抑制する観点によって定められるタービン入口排気圧の許容値である。
【０００８】
本発明では、排気圧制御手段がタービン入口排気圧を低下させるべく、前記流路面積制御手段はタービンホイールに流入する排気の流路面積を増加させる。これにより、タービン入口排気圧を所定値以下になるように好適に低減することができる。なお、本発明における「タービンホイールに流入する排気の流路面積」にはウェストゲート通路を通過する排気の流路面積は含まれない。
【０００９】
また、内燃機関から排出される排気の流量が多いとき（例えば、中負荷・中回転〜高負荷・高回転）には、タービンホイールに流入する排気の流路面積を最大面積にしてもタービン入口排気圧が上記の所定値以下にすることが困難となる場合がある。「最大面積」とは内燃機関の備えるタービンの容量が最大容量になることを意味する。
【００１０】
そこで本発明では、タービンホイールに流入する排気の流路面積を最大面積に変更してもタービン入口排気圧が所定値よりも高くなる場合に、ウェストゲート開度制御手段はウェストゲートバルブの開度を増加させる。これにより、上記流路面積が最大面積のときにおいてもタービン入口排気圧が過度に上昇することを抑制できる。
【００１１】
なお、本発明におけるウェストゲートバルブの開度を増加させる時点においては、必ずしも上記流路面積が最大面積になっている必要はない。つまり、流路面積制御手段が上記流路面積を最大面積まで増加させると同時にウェストゲート開度制御手段がウェストゲートバルブの開度を増加させても良い。
【００１２】
以上のように、本発明によればタービン入口排気圧が過度に上昇して内燃機関の掃気効率が悪化することを抑制できる。その結果、機関効率が過度に悪化することを好適に抑制できる。また、掃気効率が悪化しないので、その運転状態に見合った吸入空気量を精度良く内燃機関に吸入させることが可能となる。これにより、要求される機関出力を精度良く得ることができる。
【００１３】
更に、本発明では過度にタービン入口排気圧が高くなることが抑制されるため、内燃機関の筒内圧や筒内温度が過度に上昇してしまうことを抑制できる。従って、例えば気筒内に残留した既燃ガスに含まれる未燃燃料等が着火源として混合気が異常燃焼（ノッキング）することを抑制することもできる。
【００１４】
また、本発明においては、前記タービンのスクロール部は通過する排気を前記タービンホイールに導くスクロール流路を複数有しており且つ少なくとも１のスクロール流路には該スクロール流路を通過する排気の流路面積を変更可能な流路面積制御バルブが備えられており、前記流路面積制御手段は、前記流路面積制御バルブの開度を変更することによって前記タービンホイールに流入する排気の流路面積を制御するようにしても良い。尚、流路面積制御バルブは複数のスクロール流路の全てに設けられていても良い。
【００１５】
また、タービン入口排気圧が吸気通路における過給圧よりも高いときに、上述した掃気効率が急激に悪化すると考えられる。そこで、本発明における前記所定値は前記吸気通路における過給圧であっても良い。これにより、内燃機関の掃気効率が悪化することをより
好適に抑制することができる。また、上記所定値は、過給圧に所定のマージンを見込んだ値であって、該過給圧よりも低い値としても良い。
【００１６】
また、本発明においては、前記タービン入口排気圧が前記所定値よりも高いか否か判定する判定手段を更に備えていても良い。そして、前記タービン入口排気圧が前記所定値よりも高いと判定されるときであって且つ前記流路面積制御バルブの開度が全開ではないときに、前記ウェストゲート開度制御手段は前記ウェストゲートバルブの開度を全閉にするとともに前記流路面積制御手段は前記流路面積制御バルブの開度を増加させても良い。これにより、タービンに流入した排気のエネルギを無駄にすることなくタービン入口排気圧を好適に低減できる。
【００１７】
また、前記タービン入口排気圧が前記所定値よりも高いと判定されるときであって且つ前記流路面積制御バルブの開度が全開であるときに、前記ウェストゲート開度制御手段は前記ウェストゲートバルブの開度を増加させても良い。これにより、流路面積制御バルブの開度が全開となった後においてもタービン入口排気圧を更に低減することができる。
【００１８】
ここで、上記判定手段による判定頻度を密にするとタービン入口排気圧が所定値よりも高いか否かをより精度良く判定することができる。また、内燃機関の機関負荷が増加すると、タービン流入排気流量が増加してタービン入口排気圧が所定値よりも高くなる可能性が高まる。そこで、本発明における判定手段は、内燃機関の機関負荷が増加する毎にタービン入口排気圧が所定値よりも高いか否か判定しても良い。また、内燃機関がスロットルバルブを備え、前記内燃機関の機関負荷に応じてスロットルバルブの開度を変更する場合には、スロットル開度を増加する毎にタービン入口排気圧が所定値よりも高いか否か判定しても良い。これにより、適切な時期に上記判定が実行されるので、タービン入口排気圧が所定値よりも過度に高くなることを精度良く抑制できる。
【００１９】
また、本発明における排気圧制御手段は、タービン入口排気圧と所定値（例えば、過給圧）との差に応じてウェストゲートバルブの開度の増加量又はウェストゲートバルブの開度の増加量を決定しても良い。例えば、タービン入口排気圧と所定値との差が大きいほど上記増加量を大きくしても良い。或いは、タービン入口排気圧と所定値とに基づいて、流路面積制御バルブの開度又はウェストゲートバルブの開度をフィードバック制御しても良い。
【００２０】
また、本発明においては、前記吸気通路に設けられるスロットルバルブと、前記内燃機関の運転状態に応じて前記スロットルバルブの開度を制御するスロットル開度制御手段と、前記スロットルバルブの開度に応じて前記タービン入口排気圧が前記所定値（例えば、過給圧）以下になるように前記流路面積制御バルブの目標開度と前記ウェストゲートバルブの目標開度とを決定する目標開度決定手段と、を更に備えていても良い。
【００２１】
上記構成によれば、内燃機関の運転状態（例えば、機関負荷・機関回転数）が検出され、運転状態に最適なスロットル開度が決定される。目標開度決定手段は、スロットル開度に応じてタービン入口排気圧が所定値以下になるように、それぞれの目標開度を決定する。これにより、タービン入口排気圧が所定値よりも高くなることが抑制され、好適に内燃機関の掃気効率が悪化することを抑制できる。
【００２２】
例えば、内燃機関が低負荷・低回転領域のときは、上記スロットル開度が比較的小さな開度に制御されるため、流路面積制御バルブの目標開度及びウェストゲートバルブの目標開度を共に全閉としても良い。
【００２３】
内燃機関が例えば中負荷・中回転領域に移行した場合に流路面積制御バルブの開度とウ
ェストゲートバルブの開度とが共に全閉に維持されると、タービン入口排気圧が所定値よりも高くなる場合がある。その場合、ウェストゲートバルブの目標開度を全閉とすると共に流路面積制御バルブの目標開度を全閉から全開までの範囲で調節しても良い。
【００２４】
また、内燃機関が例えば高負荷・高回転領域のときは、流路面積制御バルブの開度を全開としてもタービン入口排気圧が所定値よりも高くなる場合がある。その場合、流路面積制御バルブの目標開度を全開とすると共にウェストゲートバルブの目標開度を全閉から全開までの範囲で調節しても良い。
【００２５】
以上のように、上記構成によれば、全ての運転状態に亘りタービン入口排気圧を所定値以下に維持させるために最適な流路面積制御バルブの目標開度及びウェストゲートバルブの目標開度を好適に決定することができる。
【００２６】
本発明によれば、何れの運転領域においてもタービン入口排気圧が所定値よりも高くなることを抑制し、掃気効率が悪化することを抑制できる。また、例えばタービン入口排気圧を所定値以下に維持させるためにスロットル開度を更に増加させることが困難となる等、スロットル開度の制御が制限されることも抑制できる。その結果、内燃機関の吸気損失を可及的に低減し機関効率を向上することができる。また、吸気温度が過度に上昇する虞がないのでコンプレッサに熱劣化が生じることも抑制できる。
【００２７】
ところで、内燃機関の全負荷時には機関出力を更に増大させることが運転者から要求される場合がある。本発明においては、前記内燃機関の運転状態が全負荷であって且つ機関出力を増加させる要求が出される場合に、前記ウェストゲートバルブの開度を減少させるウェストゲート開度減少手段を更に備えていても良い。
【００２８】
上記のように機関出力を更に増大させることを最優先させる場合には、ウェストゲート開度減少手段がウェストゲートバルブの開度を減少させて、例外的にタービン入口排気圧が所定値よりも高くなることを許可しても良い。その結果、過給圧が増大して内燃機関の吸入空気量が増大する。つまり、吸入空気量に応じて燃料噴射量を増量することができるため、機関出力を更に増大させることができる。
【００２９】
ここで、タービン入口排気圧が所定値よりも高くなることが許可される場合においても、タービン入口排気圧が高くなりすぎると、内燃機関にノッキングが発生して機関出力が低下する虞がある。そこで、本発明における前記ウェストゲート開度減少手段は、前記内燃機関にノッキングを発生させない範囲内において前記ウェストゲートバルブの開度を減少させても良い。このときのウェストゲートバルブの開度の減少量は予め実験的に求めておいても良い。これにより、ノッキングが発生することを抑制しつつ機関出力を可及的に増大させることができる。
【発明の効果】
【００３０】
本発明にあっては、タービン入口排気圧が過度に上昇することに起因して内燃機関の掃気効率が過度に悪化することを抑制し、以って機関効率を向上させることができる。
【発明を実施するための最良の形態】
【００３１】
以下に図面を参照して、この発明を実施するための最良の形態を例示的に詳しく説明する。尚、本実施の形態に記載されている構成要素の寸法、材質、形状、その相対配置等は、特に特定的な記載がない限りは、発明の技術的範囲をそれらのみに限定する趣旨のものではない。
【実施例１】
【００３２】
図１は、本実施例におけるターボチャージャ付内燃機関の制御装置を適用する内燃機関の概略構成を示す図である。図１に示す内燃機関１は、燃焼室を形成する気筒２を４つ有する４ストロークサイクル・ガソリンエンジンである。
【００３３】
内燃機関１には、吸気マニホールド８が接続されており、吸気マニホールド８の各枝管は吸気ポート（図示省略）を介して各気筒２の燃焼室と連通されている。また、各吸気ポートには該吸気ポート内に燃料を噴射する燃料噴射弁（図示省略）が設けられている。吸気マニホールド８と吸気通路９との接続部近傍には、吸気通路９内を流通する吸気の流量を調節可能なスロットルバルブ１０が設けられている。吸気通路９におけるスロットルバルブ１０よりも上流側には、吸気通路９内の吸気圧を検出する吸気圧センサ１１が設けられている。この吸気圧センサ１１によって、ターボチャージャ２０によって過給された過給圧が検出される。吸気通路９におけるスロットルバルブ１０よりも上流側には、吸気通路９を流れるガスを冷却するインタークーラ１３が設けられている。
【００３４】
さらに、吸気通路９におけるインタークーラ１３よりも上流側には、排気のエネルギを駆動源として作動するターボチャージャ２０のコンプレッサハウジング２１が設けられている。また、コンプレッサハウジング２１よりも上流側には吸気通路９内を流通する吸気量に対応した電気信号を出力するエアフローメータ１４が配置されており、該エアフローメータ１４よりも上流側にはエアクリーナ（図示省略）が設けられている。
【００３５】
このように構成された内燃機関１の吸気系では、エアクリーナによって吸気中の塵や埃が除去された後、吸気通路９を介してコンプレッサハウジング２１に流入する。コンプレッサハウジング２１に流入した吸気は、該コンプレッサハウジング２１に介装されたインペラー（図示省略）の回転によって圧縮される。そして、圧縮されて高温となった吸気は、インタークーラ１３にて冷却された後、スロットルバルブ１０によって流量を調節されて吸気マニホールド８に流入する。そして、吸気マニホールド８に流入した吸気は、各枝管を介して各気筒２に分配される。
【００３６】
一方、内燃機関１には、排気マニホールド１８が接続されており、排気マニホールド１８の各枝管は排気ポートを介して各気筒２の燃焼室と接続されている。排気マニホールド１８は排気通路１９と接続されている。排気通路１９の途中にはターボチャージャ２０のタービンハウジング２２が設けられており、排気通路１９は下流にて排気浄化装置（例えば、触媒）及びマフラー（図示省略）に接続されている。排気通路１９におけるタービンハウジング２２よりも上流側には該排気通路１９内の排気圧（背圧）を検出する排気圧センサ１２が設けられている。
【００３７】
図２は、本実施例におけるタービンハウジング内部の概略構成を示す図である。図２はタービンハウジング内の一部の構成を省略している。図中の一点鎖線は図示しないロータシャフトの軸を表す。タービンハウジング２２内には、タービンホイール２３が回転自在に支持されている。このタービンホイール２３の外周には渦巻状のタービンスクロール２４が形成されている。排気通路１９からタービンハウジング２２に流入した排気はこのタービンスクロール２４を通過してタービンホイール２３に導かれる。本実施例においてはタービンスクロール２４が本発明におけるタービンのスクロール部に相当する。
【００３８】
本実施例のタービンスクロール２４は、図示のように仕切り壁２５によって第１スクロール流路２４ａ、第２スクロール流路２４ｂに分岐している。そして、タービンスクロール２４が第１スクロール流路２４ａと第２スクロール流路２４ｂに分岐する分岐部２４ｃには、第２スクロール流路２４ｂを通過する排気の流量を調節可能な流量調節バルブ２６が設けられている。流量調節バルブ２６が本発明における流路面積制御バルブに相当する。
【００３９】
更に、第２スクロール流路２４ｂには、一端がタービンハウジング２２よりも下流側の排気通路１９に接続され、第２スクロール流路２４ｂを通過する排気にタービンホイール２３を迂回させて排気通路１９に導くウェストゲート通路２７の他端が接続されている。また、第２スクロール流路２４ｂとウェストゲート通路２７との接続部には、該ウェストゲート通路２７を通過する排気の流量を調節可能なウェストゲートバルブ２８が設けられている。本実施例においては、第１スクロール流路２４ａと第２スクロール流路２４ｂとが本発明における複数のスクロール流路に相当する。第１スクロール流路２４ａと第２スクロール流路２４ｂとの和が本発明におけるタービンを通過する排気の流路面積に相当する。つまり、本発明において「流路面積が最大面積になる」とは、流量調節バルブ２６の開度が全開に制御された状態を意味している。
【００４０】
このように構成された排気系では、内燃機関１の各気筒２で燃焼された混合気（既燃ガス）が排気マニホールド１８を介して排気通路１９へ排出され、次いでターボチャージャ２０のタービンハウジング２２へ流入する。タービンスクロール２４の分岐部２４ｃに到達した排気は、第１スクロール流路２４ａ又は第２スクロール流路２４ｂに流入する。そして流量調節バルブ２６が閉弁されているときには、排気が第２スクロール流路２４ｂを通過することが禁止され、第１スクロール流路２４ａのみを通過して排気がタービンホイール２３に導かれる。一方、流量調節バルブ２６が開弁されているときには、第１スクロール流路２４ａ及び第２スクロール流路２４ｂを通過して排気がタービンホイール２３に導かれる。
【００４１】
このようにタービンホイール２３に導かれた排気は該タービンホイール２３を回転させる。その際、タービンホイール２３の回転トルクは、コンプレッサハウジング２１内に介装されたインペラー（図示省略）に伝達される。そして、タービンハウジング２３から流出した排気は、排気通路１９及びその下流のマフラーを介して大気中に放出される。
【００４２】
また、ウェストゲートバルブ２８が開弁されているときには、第２スクロール流路２４ｂを通過する排気の一部がタービンホイール２３を迂回して排気通路１９に流出し、下流側のマフラーを介して大気中に放出される。
【００４３】
以上述べたように構成された内燃機関１には、該内燃機関１を制御するための電子制御ユニットであるＥＣＵ３０が併設されている。このＥＣＵ３０は、内燃機関１の運転条件や運転者の要求に応じて内燃機関１の運転状態を制御するユニットである。
【００４４】
ＥＣＵ３０には、エアフローメータ１４、吸気圧センサ１１、排気圧センサ１２、運転者がアクセルペダル１５を踏み込んだ量に応じた電気信号を出力し機関負荷を検出可能なアクセル開度センサ１６、及び機関回転数を検出するクランクポジションセンサ１７が電気配線を介して接続され、これら各種センサの出力信号がＥＣＵ３０に入力される。一方、ＥＣＵ３０には、スロットルバルブ１０、流量調節バルブ２６、ウェストゲートバルブ２８が電気配線を介して接続されており、該ＥＣＵ３０により制御される。本実施例においてはスロットルバルブ１０、流量調節バルブ２６、ウェストゲートバルブ２８を制御するＥＣＵ３０が本発明におけるスロットル開度制御手段、排気圧制御手段（流路面積制御手段、ウェストゲート開度制御手段）に相当する。
【００４５】
＜バルブ制御＞
ＥＣＵ３０は、内燃機関１に要求される機関負荷と機関回転数とに基づいてスロットルバルブ１０の開度（以下、「スロットル開度」）ＴＡを制御する。本実施例では、機関負荷を代表するパラメータとしてアクセル開度センサ１６の出力値が用いられる。また、機関回転数はクランクポジションセンサ１７との出力値として読み込まれる。
【００４６】
ＥＣＵ３０がスロットル開度ＴＡを増加させると、内燃機関１から排出される排気の流量が増大するため、タービンホイールを回転させる排気エネルギが増大する。その結果、過給圧が増大して吸入空気量が増加することに伴い燃料噴射量が増加して機関出力が上昇する。
【００４７】
ここで、タービンハウジング２２の容量が該タービンハウジング２２に流入する排気の流量（以下、「流入排気流量」）に対して余裕があるときには、排気通路１９におけるタービンハウジング２２よりも上流側の排気圧（以下、「タービン入口排気圧」という。）ＰＥが過度に高くなることはない。しかし、流入排気流量がタービンハウジング２２の容量に対して大きくなると、タービン入口排気圧ＰＥ（つまり、エンジン背圧）が急激に上昇する場合がある。吸気マニホールド８内の過給圧（以下、「マニホールド吸気圧」という。）ＰＩよりもタービン入口排気圧ＰＥが高くなると、内燃機関１の掃気効率が過度に悪化するため、機関効率が過度に悪化する虞がある。
【００４８】
そこで、本実施例に係るターボチャージャ付内燃機関の制御装置ではタービン入口排気圧ＰＥがマニホールド吸気圧ＰＩよりも高いか否か判定し、肯定判定がなされるときにはタービン入口排気圧ＰＥをマニホールド吸気圧ＰＩ以下まで低減する。具体的には、流量調節バルブ２６の開度（以下、「流量調節バルブ開度」）ＳＰＡ、ウェストゲートバルブ２８の開度（以下、「ウェストゲートバルブ開度」）ＷＧＡがＥＣＵ３０によって制御される。本実施例においてはマニホールド吸気圧ＰＩが本発明における所定値（過給圧）に相当する。
【００４９】
＜基本バルブ制御ルーチン＞
以下、本実施例における流量調節バルブ開度ＳＰＡ及びウェストゲートバルブ開度ＷＧＡの制御について、図３のフローチャートを参照しながら説明する。図３は、本実施例における基本バルブ制御ルーチンを示すフローチャートである。本ルーチンはＥＣＵ３０内のＲＯＭに記憶されたプログラムであり、所定期間毎に実行される。
【００５０】
本ルーチンが実行されると、ステップＳ１０１では、吸気圧センサ１１及び排気圧センサ１２の出力値に基づいてマニホールド吸気圧ＰＩ及びタービン入口排気圧ＰＥが検出される。そして、ＥＣＵ３０によってタービン入口排気圧ＰＥがマニホールド吸気圧ＰＩよりも高いか否か判定される。つまり、本ステップではタービン入口排気圧ＰＥを低減させる必要があるか判断される。タービン入口排気圧ＰＥがマニホールド吸気圧ＰＩよりも高いか否か判定するＥＣＵ３０が本発明における判定手段に相当する。本ステップで肯定判定された場合には、ステップＳ１０２に進む。一方、否定判定された場合には本ルーチンを一旦終了する。
【００５１】
ステップＳ１０２では、現在の流量調節バルブ開度ＳＰＡが全開ではないか否か判定される。つまり、本ステップでは流量調節バルブ開度ＳＰＡを更に開き側に変更できるかどうかが判断される。現在の流量調節バルブ開度ＳＰＡは、ＥＣＵ３０が流量調節バルブ２６に出されている指令値を読み込むことにより求められる。そして、本ステップにおいて肯定判定された場合には、ステップＳ１０３に進む。
【００５２】
ステップ１０３では、ＥＣＵ３０が流量調節バルブ２６に指令を出し、流量調節バルブ開度ＳＰＡを基準開度ΔＳＰＡだけ増加させる。ここで、基準開度ΔＳＰＡは、予め実験的に求められる開度である。なお、基準開度ΔＳＰＡの大きさは一定値としても良いし、タービン入口排気圧ＰＥとマニホールド吸気圧ＰＩとの差に応じて決定しても良い。例えば、タービン入口排気圧ＰＥとマニホールド吸気圧ＰＩとの差が大きいほど基準開度ΔＳＰＡを大きくしても良い。本実施例においては流量調節バルブ２６に指令を出して流量調
節バルブ開度ＳＰＡを変更させるＥＣＵ３０が本発明における流路面積制御手段に相当する。
【００５３】
上記のように、流量調節バルブ開度ＳＰＡが増大すると、第２スクロール流路２４ｂを通過する排気の流量が増大する。その結果、タービンハウジング２２の容量が増大するため、タービン入口排気圧ＰＥを低減させることができる。ステップＳ１０３の処理が終わるとステップＳ１０４に進む。
【００５４】
ステップＳ１０４では、再びタービン入口排気圧ＰＥとタービン入口排気圧ＰＥが検出される。そして、タービン入口排気圧ＰＥがマニホールド吸気圧ＰＩ以下であるか否か判定される。つまり、本ステップでは、タービン入口排気圧ＰＥが充分に低下したかどうかが判断される。そして、本ステップで肯定判定された場合には、本ステップを一旦終了する。一方、否定判定された場合には、更に流量調節バルブ開度ＳＰＡを増加させる必要があると判断され、ステップＳ１０２に戻る。つまり、タービン入口排気圧ＰＥがマニホールド吸気圧ＰＩ以下になるまで流量調節バルブ開度ＳＰＡを増加させる。
【００５５】
ステップＳ１０２で否定判定された場合には、ステップＳ１０５に進む。ステップＳ１０５では、ＥＣＵ３０が現在のウェストゲートバルブ開度ＷＧＡを読み込む。そして、ステップＳ１０５の処理が終わるとステップＳ１０６に進む。
【００５６】
ステップＳ１０６では、ＥＣＵ３０がウェストゲートバルブ２８に指令を出し、ウェストゲートバルブ開度ＷＧＡを基準開度ΔＷＧＡだけ増加させる。その結果、第２スクロール流路２４ｂを通過する排気の一部がタービンホイール２３を迂回して排気通路１９に流出するため、好適にタービン入口排気圧ＰＥを低減することができる。なお、基準開度ΔＷＧＡの大きさは一定値としても良いし、タービン入口排気圧ＰＥとマニホールド吸気圧ＰＩとの差に応じて決定しても良い。例えば、タービン入口排気圧ＰＥとマニホールド吸気圧ＰＩとの差が大きいほど基準開度ΔＷＧＡを大きくしても良い。
【００５７】
続くステップＳ１０７では、再びタービン入口排気圧ＰＥとタービン入口排気圧ＰＥが検出される。そして、タービン入口排気圧ＰＥがマニホールド吸気圧ＰＩ以下であるか否か判定される。本ステップで肯定判定された場合には、本ステップを一旦終了する。一方、否定判定された場合には、更にウェストゲートバルブ開度ＷＧＡを増加させる必要があると判断され、ステップＳ１０５に戻る。つまり、タービン入口排気圧ＰＥがマニホールド吸気圧ＰＩ以下になるまでウェストゲートバルブ開度ＷＧＡを増加させる。
【００５８】
以上のように、本ルーチンによれば、内燃機関１の何れの運転状態において、タービン入口排気圧ＰＥがマニホールド吸気圧ＰＩよりも高いと判定されたときに、好適にタービン入口排気圧ＰＥをマニホールド吸気圧ＰＩ以下に低減することができる。その結果、内燃機関１の掃気効率が悪化することが抑制される。特に、図示しない吸気弁と排気弁におけるバルブオーバーラップ時において掃気効率が過度に悪化することを抑制できる。従って、機関効率を向上させることができる。また、タービン入口排気圧ＰＥが過度に上昇することが抑制されるため、所謂ノッキングが生じることを抑制することができる。
【００５９】
なお、本ルーチンにおいては、タービン入口排気圧ＰＥがマニホールド吸気圧ＰＩよりも高いと判定されたときに、タービン入口排気圧ＰＥを低減させる制御について説明したが、タービン入口排気圧ＰＥが「所定値」よりも高くなったときに本制御を実施するようにしても良い。例えば、「所定値」はマニホールド吸気圧ＰＩに予め定められる一定のマージンを見込んだ値であって、該マニホールド吸気圧ＰＩよりも低い値としても良い。
【００６０】
次に、内燃機関１における零負荷（負荷がかかっていない運転状態）から全負荷までの
運転領域において、上記基本バルブ制御ルーチンを実行する場合の流量調節バルブ開度ＳＰＡ及びウェストゲートバルブ開度ＷＧＡについて説明する。図４は本実施例におけるスロットル開度ＴＡと流量調節バルブ開度ＳＰＡとウェストゲートバルブ開度ＷＧＡの関係を例示した図である。タービン入口排気圧ＰＥをマニホールド吸気圧ＰＩ以下に維持するために好適な流量調節バルブ開度ＳＰＡ及びウェストゲートバルブ開度ＷＧＡを例示する。横軸にはスロットル開度ＴＡを、縦軸には流量調節バルブ開度ＳＰＡとウェストゲートバルブ開度ＷＧＡとを示す。
【００６１】
内燃機関１の機関負荷に応じて制御されるスロットル開度ＴＡが比較的小さいときは流入排気流量が少ない。従って、タービン入口排気圧ＰＥが急激に上昇する虞がないので、ＥＣＵ３０は流量調節バルブ開度ＳＰＡ及びウェストゲートバルブ開度ＷＧＡを全閉に維持する。
【００６２】
流量調節バルブ開度ＳＰＡ及びウェストゲートバルブ開度ＷＧＡが全閉に維持されたままスロットル開度ＴＡが増大してゆくと、タービン入口排気圧ＰＥが急増する。横軸の「ＴＡ１」は、流量調節バルブ開度ＳＰＡ及びウェストゲートバルブ開度ＷＧＡを全閉として、タービン入口排気圧ＰＥをマニホールド吸気圧ＰＩ以下に維持できるスロットル開度ＴＡの最大値である。
【００６３】
スロットル開度ＴＡが「ＴＡ１」よりも大きくなると、スロットル開度ＴＡの大きさに応じて、タービン入口排気圧ＰＥをマニホールド吸気圧ＰＩ以下に維持するための流量調節バルブ開度ＳＰＡが大きくなる。従って、ＥＣＵ３０はウェストゲートバルブ開度ＷＧＡを全閉に維持し、流量調節バルブ開度ＳＰＡを増加させる。
【００６４】
横軸の「ＴＡ２」とは、流量調節バルブ開度ＳＰＡが全開となるときのスロットル開度ＴＡを意味する。スロットル開度ＴＡが「ＴＡ２」よりも大きくなると、スロットル開度ＴＡの大きさに応じて、タービン入口排気圧ＰＥをマニホールド吸気圧ＰＩ以下に維持するためのウェストゲートバルブ開度ＷＧＡが大きくなる。従って、ＥＣＵ３０は流量調節バルブ開度ＳＰＡを全開に維持し、ウェストゲートバルブ開度ＷＧＡを増加させる。
【００６５】
以上のように、スロットル開度ＴＡが「全閉」から「ＴＡ１」の範囲で制御されるときは、流量調節バルブ開度ＳＰＡ及びウェストゲートバルブ開度ＷＧＡが全閉に維持される。以下、この領域を制御バルブ領域Ｉと称す。また、スロットル開度ＴＡが「ＴＡ１」から「ＴＡ２」までの範囲で制御されるときは、ウェストゲートバルブ開度ＷＧＡが全閉に維持され、流量調節バルブ開度ＳＰＡがスロットル開度ＴＡに応じて変更される。以下、この領域を制御バルブ領域ＩＩと称す。また、スロットル開度ＴＡが「ＴＡ２」から「全開」までの範囲で制御されるときは、流量調節バルブ開度ＳＰＡが全開に維持され、ウェストゲートバルブ開度ＷＧＡがスロットル開度ＴＡに応じて変更される。以下、この領域を制御バルブ領域ＩＩＩと称す。
【００６６】
＜バルブ制御の変形例＞
次に、本実施例におけるバルブ制御の変形例について説明する。本バルブ制御では、内燃機関１の運転状態に応じて目標スロットル開度ＴＡｔが演算される。そして、目標スロットル開度ＴＡｔに基づいて図４に示したバルブ制御領域が判定され、運転状態に応じてスロットル開度ＴＡが制御される。
【００６７】
以下、本バルブ制御について、図５のフローチャートを参照しながら説明する。図５は、本実施例における変形バルブ制御ルーチンを示すフローチャートである。本ルーチンはＥＣＵ３０内のＲＯＭに記憶されたプログラムであり、所定期間毎に実行される。本ルーチンにおいては、運転状態に応じてスロットル開度ＴＡを制御するＥＣＵ３０が本発明に
おけるスロットル開度制御手段に相当する。
目標スロットル開度ＴＡｔに基づいて目標流量調節バルブ開度ＳＰＡｔと目標ウェストゲートバルブ開度ＷＧＡｔとを演算するＥＣＵ３０が本発明における目標開度決定手段に相当する。
【００６８】
本ルーチンが実行されると、ステップＳ２０１では、内燃機関１の運転状態が検出される。具体的には、クランクポジションセンサ１７によるクランク角度の出力値から内燃機関１の機関回転数を検出し、アクセル開度センサ１６によるアクセル開度の出力値から内燃機関１の機関負荷を検出する。
【００６９】
ステップＳ２０２では、ＥＣＵ３０によってステップＳ２０１で検出された機関負荷と機関回転数とに基づいて目標スロットル開度ＴＡｔが演算される。目標スロットル開度ＴＡｔとはスロットル開度ＴＡの目標値である。また、目標スロットル開度ＴＡｔは内燃機関１の運転状態に最適なスロットル開度ＴＡであり、予め実験的に求めておく。ステップＳ２０２の処理が終わるとステップＳ２０３に進む。
【００７０】
ステップＳ２０３では、ＥＣＵ３０が図４に示すマップを参照し、目標スロットル開度ＴＡｔに応じたバルブ制御領域が導出される。ステップＳ２０３の処理が終わるとステップＳ２０４に進む。
【００７１】
ステップＳ２０４ではバルブ制御領域が領域Ｉであるか否か判定される。本ステップで肯定判定された場合には、流量調節バルブ開度ＳＰＡ及びウェストゲートバルブ開度ＷＧＡを全閉に維持した状態でタービン入口排気圧ＰＥをマニホールド吸気圧ＰＩ以下に維持できると判断され、ステップＳ２０５に進む。
【００７２】
ステップＳ２０５においては、ＥＣＵ３０が流量調節バルブ２６、ウェストゲートバルブ２８に指令を出し、流量調節バルブ開度ＳＰＡとウェストゲートバルブ開度ＷＧＡとを共に全閉に変更させる。ステップＳ２０５の処理が終わるとステップＳ２０６に進む。
【００７３】
ステップＳ２０６では、ＥＣＵ３０がスロットルバルブ１０に指令を出し、スロットル開度ＴＡを目標スロットル開度ＴＡｔに変更させる。本ステップの処理が終わると、本ルーチンを一旦終了する。スロットルバルブ１０に指令を出してスロットル開度ＴＡを目標スロットル開度ＴＡｔに変更させるＥＣＵ３０が本発明におけるスロットル開度制御手段に相当する。
【００７４】
また、ステップＳ２０４において否定判定された場合、つまりバルブ制御領域が領域ＩＩ又はＩＩＩであると判定された場合には、ステップＳ２０７に進む。ステップＳ２０７では、バルブ制御領域が領域ＩＩであるか否か判定される。そして、本ステップにおいて肯定判定された場合には、流量調節バルブ２６のみを開弁することによってタービン入口排気圧ＰＥをマニホールド吸気圧ＰＩ以下に維持できると判断され、ステップＳ２０８に進む。
【００７５】
ステップＳ２０８では、ステップＳ２０１で検出された運転状態、ステップＳ２０２で演算された目標スロットル開度ＴＡｔに基づいて目標流量調節バルブ開度ＳＰＡｔが演算される。ステップＳ２０８の処理が終わるとステップＳ２０９に進む。
【００７６】
ステップＳ２０９では、ＥＣＵ３０が流量調節バルブ２６に指令を出し、流量調節バルブ開度ＳＰＡを目標流量調節バルブ開度ＳＰＡｔに変更させる。また、ウェストゲートバルブ２８に指令を出し、ウェストゲートバルブ開度ＷＧＡを全閉に変更させる。ステップＳ２０９の処理が終わるとステップＳ２０６に進む。つまり、上述したようにＥＣＵ３０
がスロットルバルブ１０に指令を出し、スロットル開度ＴＡを目標スロットル開度ＴＡｔに変更させる。本ステップの処理が終わると、本ルーチンを一旦終了する。
【００７７】
また、上記のステップＳ２０７において否定判定された場合、つまりバルブ制御領域が領域ＩＩＩであると判定された場合には、ウェストゲートバルブ２８を開弁しないとタービン入口排気圧ＰＥをマニホールド吸気圧ＰＩ以下に維持できないと判断され、ステップＳ２１０に進む。
【００７８】
ステップＳ２１０では、ステップＳ２０１で検出された運転状態、ステップＳ２０２で演算された目標スロットル開度ＴＡｔに基づいて目標ウェストゲートバルブ開度ＷＧＡｔが演算される。ステップＳ２１０の処理が終わるとステップＳ２１１に進む。
【００７９】
ステップＳ２１１では、ＥＣＵ３０が流量調節バルブ２６に指令を出し、流量調節バルブ開度ＳＰＡを全開に変更させる。また、ウェストゲートバルブ２８に指令を出し、ウェストゲートバルブ開度ＷＧＡを目標ウェストゲートバルブ開度ＷＧＡｔに変更させる。ステップＳ２１１の処理が終わるとステップＳ２０６に進む。つまり、上述したようにＥＣＵ３０がスロットルバルブ１０に指令を出し、スロットル開度ＴＡを目標スロットル開度ＴＡｔに変更させる。本ステップの処理が終わると、本ルーチンを一旦終了する。
【００８０】
以上のように、本ルーチンによれば、目標スロットル開度ＴＡｔに応じたバルブ制御領域を判定できる。そして、タービン入口排気圧ＰＥをマニホールド吸気圧ＰＩ以下に維持させるべく、流量調節バルブ開度ＳＰＡ及びウェストゲートバルブ開度ＷＧＡを好適に制御することができる。
【００８１】
これにより、タービン入口排気圧ＰＥがマニホールド吸気圧ＰＩよりも高くなることが抑制され、内燃機関１の掃気効率の悪化を抑制できる。スロットル開度ＴＡに応じた吸入空気量が精度良く内燃機関１に吸入されるので、内燃機関１に要求される機関出力を好適に発生させることができる。
【００８２】
また、上記ルーチンのステップＳ２０２において演算される目標スロットル開度ＴＡｔが全開であるときには、内燃機関１の運転状態が全負荷状態に変更される。そして、内燃機関１の全負荷時において更に機関出力を増大させる要求（以下、「全負荷高出力要求」）が出される場合がある。例えばアクセル開度センサ１６の出力値を検出し、アクセルペダル１５が全開までに踏み込まれている状態が一定期間継続していると判定される場合に全負荷高出力要求が出されていると判断しても良い。
【００８３】
その場合には、ＥＣＵ３０がウェストゲートバルブ２８に指令を出し、ウェストゲートバルブ開度ＷＧＡを現在よりも閉じ側の目標開度である全負荷高出力要求時目標開度に変更させても良い。その結果、マニホールド吸気圧ＰＩが更に増大し、吸入空気量を増やすことができる。吸入空気量に応じて燃料噴射量を増量することによって、内燃機関１の機関出力を更に増大させることができる。
【００８４】
なお、上記の全負荷高出力要求時目標開度は「全閉」であっても良い。本実施例においては、全負荷高出力要求が出されるときにウェストゲートバルブ開度ＷＧＡを現在よりも閉じ側の目標開度に変更させるＥＣＵ３０が本発明におけるウェストゲートバルブ開度減少手段に相当する。
【００８５】
上記制御においては、全負荷高出力要求時に機関出力の増大を優先させる場合、例外的にタービン入口排気圧ＰＥがマニホールド吸気圧ＰＩよりも高くなることを許可される。その場合においても、内燃機関１にノッキングを発生させない範囲内において目標ウェス
トゲートバルブ開度ＷＧＡｔを決定することとした。タービン入口排気圧ＰＥが高くなりすぎてノッキングが発生してしまうと、機関出力が急激に低下する虞があるからである。
【００８６】
従って、全負荷高出力要求時目標開度は、マニホールド吸気圧ＰＩを上昇させることが可能であって、且つ内燃機関１にノッキングを生じさせる虞のないように決定される。また、全負荷高出力要求時目標開度は内燃機関の運転状態に基づいて予め実験的に求めておいても良い。これにより、全負荷高出力要求時において内燃機関１にノッキングが発生することを抑制しつつ機関出力を可及的に増大させることができる。
【００８７】
また、本実施例においては、所謂ツインスクロール型ターボチャージャを備えた内燃機関に本発明を適用する例を説明したが、様々な可変容量型ターボチャージャを備える内燃機関に適用することができる。例えば、タービンホイール２３に複数取り付けられるノズルベーンの開度を変更可能な所謂可変ノズルターボチャージャを備える内燃機関に本発明を適用しても良い。その場合には、流量調節バルブ２６の開度を変更する代わりに該ノズルベーンの開度を変更することによってタービン入口排気圧ＰＥを制御しても良い。
【００８８】
また、本実施例におけるウェストゲート通路２７は、一端がタービンハウジング２２よりも下流側の排気通路１９に接続され、他端が第２スクロール流路２４ｂに接続されているが、本構成に限定される趣旨ではない。例えば、ウェストゲート通路２７の一端がタービンハウジング２２よりも上流側の排気通路１９に接続され、他端がタービンハウジング２２よりも下流側の排気通路１９に接続されていても良く、本発明の本旨を逸脱しない範囲内において上記の実施形態には種々の変更を加え得る。
【図面の簡単な説明】
【００８９】
【図１】実施例１におけるターボチャージャ付内燃機関の制御装置を適用する内燃機関の概略構成を示す図である。
【図２】実施例１におけるタービンハウジング内部の概略構成を示す図である。
【図３】実施例１における基本バルブ制御ルーチンを示すフローチャートである。
【図４】実施例１におけるスロットル開度ＴＡと流量調節バルブ開度ＳＰＡとウェストゲートバルブ開度ＷＧＡの関係を例示した図である。
【図５】実施例１における変形バルブ制御ルーチンを示すフローチャートである。
【符号の説明】
【００９０】
１・・・内燃機関
２・・・気筒
８・・・吸気マニホールド
９・・・吸気通路
１０・・スロットルバルブ
１１・・吸気圧センサ
１２・・排気圧センサ
１３・・インタークーラ
１４・・エアフローメータ
１５・・アクセルペダル
１６・・アクセル開度センサ
１７・・クランクポジションセンサ
１８・・排気マニホールド
１９・・排気通路
２０・・ターボチャージャ
２１・・コンプレッサハウジング
２２・・タービンハウジング
２３・・タービンホイール
２４・・タービンスクロール
２４ａ・第１スクロール流路
２４ｂ・第２スクロール流路
２４ｃ・分岐部
２５・・仕切り壁
２６・・流量調節バルブ
２７・・ウェストゲート通路
２８・・ウェストゲートバルブ
３０・・ＥＣＵ
【図１】
2008196332.tif 000003
【図２】
2008196332.tif 000004
【図３】
2008196332.tif 000005
【図４】
2008196332.tif 000006
【図５】
2008196332.tif 000007